(57)【特許請求の範囲】
【請求項１】
サーバとの無線によるデータ通信を実行する無線通信端末であって、
前記サーバとのデータ通信用に割り当てられた複数のポート番号の内から決定された第１のポート番号を使用して、前記サーバに通信接続要求を示す情報を送信する通信制御部と、
前記第１のポート番号を記憶する記憶部と、を備え、
前記通信制御部は、前記サーバから通信接続不可を示す情報を受信すると、前記通信接続要求に対するサーバからの返信を待機する状態であるかを判定し、前記サーバからの返信を待機する状態であると判定された場合には、前記第１のポート番号とは異なる第２のポート番号を使用して再度、通信接続要求を示す情報を送信し、一方で、前記サーバからの返信を待機する状態でないと判定された場合には、前記サーバとの接続を切断することを特徴とする無線通信端末。
【請求項２】
前記通信制御部は、前記サーバからＲＳＴ（Ｒｅｓｅｔ）パケットを受信した場合、ＳＹＮ＿ＳＥＮＴ状態であるかを判定し、前記ＳＹＮ＿ＳＥＮＴ状態であると判定された場合には、前記第１のポート番号とは異なる前記第２のポート番号を使用して再度、ＳＹＮパケットを送信し、一方で、前記ＳＹＮ＿ＳＥＮＴ状態ではないと判定された場合には、前記サーバとのＴＣＰ接続及びＰＰＰ接続を切断することを特徴とする請求項１に記載の無線通信端末。
【請求項３】
前記第２のポート番号は、前記複数のポート番号の内からランダムに決定され、当該ランダムに決定されたポート番号が前記第１のポート番号と同一である場合には、さらに前記複数のポート番号の内からランダムに選択し直されることにより決定されることを特徴とする請求項１又は２に記載の無線通信端末。
【請求項４】
前記通信制御部は、前記第２のポート番号を使用して、前記通信接続要求を示す情報を送信し、再度、前記サーバから通信接続不可を示す情報を受信した場合、所定時間の間、新たなポート番号を使用して、通信接続要求を示す情報の送信を繰り返すことを特徴とする請求項１から３のいずれかに記載の無線通信端末。
【請求項５】
表示部をさらに備え、
前記通信制御部は、前記所定時間を経過すると、前記表示部に、前記サーバとの通信が接続不可である旨を表示することを特徴とする請求項４に記載の無線通信端末。
【請求項６】
サーバとの無線によるデータ通信を実行する無線通信方法であって、
前記サーバとのデータ通信用に割り当てられた複数のポート番号の内から決定された第１のポート番号を使用して、前記サーバに通信接続要求を示す情報を送信する第１ステップと、
前記第１のポート番号を記憶する第２ステップと、
前記サーバから通信接続不可を示す情報を受信すると、前記通信接続要求に対するサーバからの返信を待機する状態であるかを判定する第３ステップと、
前記第３ステップで、前記サーバからの返信を待機する状態であると判定された場合には、前記第１のポート番号とは異なる第２のポート番号を使用して再度、通信接続要求を示す情報を送信する第４ステップと、
前記第３ステップで、前記サーバからの返信を待機する状態でないと判定された場合には、前記サーバとの接続を切断する第５ステップと、を含むことを特徴とする無線通信方法。
【請求項７】
前記第３ステップにおいて、前記サーバからＲＳＴ（Ｒｅｓｅｔ）パケットを受信した場合、ＳＹＮ＿ＳＥＮＴ状態であるかを判定し、
前記第４ステップにおいて、前記ＳＹＮ＿ＳＥＮＴ状態であると判定された場合には、前記第１のポート番号とは異なる前記第２のポート番号を使用して再度、ＳＹＮパケットを送信し、
前記第５ステップにおいて、前記ＳＹＮ＿ＳＥＮＴ状態ではないと判定された場合には、前記サーバとのＴＣＰ接続及びＰＰＰ接続を切断することを特徴とする請求項６に記載の無線通信方法。
【請求項８】
前記第２のポート番号は、前記複数のポート番号の内からランダムに決定され、当該ランダムに決定されたポート番号が前記第１のポート番号と同一である場合には、さらに前記複数のポート番号の内からランダムに選択し直されることにより決定されることを特徴とする請求項６又は７に記載の無線通信方法。
【請求項９】
前記第４ステップで、前記第２のポート番号を使用して、通信接続要求を示す情報を送信し、再度、前記サーバから通信接続不可を示す情報を受信した場合、所定時間の間、新たなポート番号を使用して、再度、通信接続要求を示す情報の送信を繰り返すことを特徴とする請求項６から８のいずれか一項に記載の無線通信方法。
【請求項１０】
前記第４ステップで、前記所定時間を経過すると、前記サーバとの通信が接続不可である旨を表示することを特徴とする請求項９に記載の無線通信方法。
【発明の詳細な説明】
【技術分野】
【０００１】
本発明は、無線通信端末及び無線通信方法に関する。
【背景技術】
【０００２】
ネットワークに接続されたサーバとのデータ通信機能を備える携帯電話等の無線通信端末は、一般的に以下のような処理手順によって上記サーバとの通信を確立している。まず、無線通信端末は、ユーザから上記サーバに対するデータ通信の開始指示を受ける（実際には、ユーザが無線通信端末上のデータ通信開始用の専用キーを押下する）と、ＰＰＰ（Point to Point Protocol）接続処理を開始し、サービスプロバイダからＩＰ（Internet Protocol）アドレスを取得する。ＰＰＰ接続確立後、無線通信端末は、サーバとのＴＣＰ（Transmission Control Protocol）接続を確立するために、自身に割り当てられている複数のデータ通信用のポート番号の内、所定のポート番号を通信ポート番号として決定し（つまり、上記ＩＰアドレスと通信ポート番号との組み合わせであるソケットを自身のネットワークアドレスとして使用する）、ＳＹＮ（Synchronize）パケットをサーバに送信する。なお、サーバ側にも当然ながらデータ通信用の所定のソケットが割り当てられている。
【０００３】
サーバは、ＳＹＮパケットを受信し、通信接続可能状態であれば無線通信端末にＳＹＮ／ＡＣＫ（Acknowledgment）パケットを送信する。無線通信端末は、ＳＹＮ／ＡＣＫパケットを受信すると、サーバにＡＣＫパケットを送信する。これにより無線通信端末とサーバとのＴＣＰ接続が確立される。なお、例えば携帯電話が使用可能なポート番号は、１０２４番から６５５３５番までと決まっており、携帯電話は、上記ポート番号の範囲内において任意に通信ポート番号を設定してサーバとの通信接続を行っている。また、サーバ側のポート番号は使用されるサービスプロトコルに依存して決まっている。例えば、ＨＴＴＰ（Hyper Text Transfer Protocol）ではポート番号８０と設定されている。
【０００４】
ところで、上記のようにデータ通信を行っている最中に通信圏外状態になり、その時ユーザからデータ通信の終了指示が出された場合、無線通信端末は、ＴＣＰ切断状態に移行するが、通信圏外であるため無線通信端末から発せられるＴＣＰ切断メッセージがサーバに届かず、サーバ側ではＴＣＰ接続確立状態が維持されることになる。そして、通信圏内状態に戻った後、ユーザから再度データ通信の開始指示が出された場合、無線通信端末は前回と同じ通信ポート番号を使用して再度ＳＹＮパケットをサーバに送信するが、サーバ側では上記通信ポート番号によるＴＣＰ接続は既に確立していると認識しているため、無線通信端末側とサーバとでＴＣＰ接続状態の不一致が発生する。この場合、サーバは、無線通信端末側の通信ポート番号をエラーと判断し、ＲＳＴ(Reset)パケットを無線通信端末に送信する。
【０００５】
無線通信端末はＲＳＴパケットを受信すると、ＴＣＰ切断処理を行った後、ＰＰＰ切断処理を行う。ＰＰＰ切断終了後、無線通信端末は、自身が備える液晶パネル等の表示部にエラーメッセージを表示し、サーバとの通信接続エラーが発生したことをユーザに知らせる。ユーザは、このようなエラーメッセージを確認し、再接続を行うか否かの判断を行う。無線通信端末は、ユーザから再接続の指示を受けた場合、上述したようなＰＰＰ接続処理から再び開始する。
このように、ＴＣＰ接続処理中にサーバからＲＳＴパケットが送信された場合、無線通信端末は、ＴＣＰ切断処理、ＰＰＰ切断処理、ユーザへのエラー表示、再接続指示があればＰＰＰ接続処理開始という一連の処理を行っているため、再接続まで非常に時間を要していた。
【０００６】
一方、例えば特開２０００−１４８６１９号公報には、ネットワークに接続されているＦＴＰ（File Transfer Protocol）サーバと有線ＬＡＮを介してデータ通信を行うデータ受信装置において、ＦＴＰサーバとのデータ通信中にデータ受信装置の電源がＯＦＦにされた後、再度ＯＮにされた場合のＦＴＰサーバとの通信接続確立処理にかかる時間の短縮を図る技術が開示されている。
【０００７】
このように、ＦＴＰサーバとのデータ通信中にデータ受信装置の電源がＯＦＦにされると、ＦＴＰサーバはデータ受信装置側の通信ポート番号にエラーが発生したとみなす。よって、従来では電源再投入時にデータ受信装置がＦＴＰサーバとの通信接続確立処理を行う際、前回の通信に使用していた通信ポート番号と同じポート番号を使用していたため、ＦＴＰサーバはデータ受信装置側の通信ポート番号をエラーと判断し、エラーメッセージをデータ受信装置に送信する。データ受信装置は、エラーメッセージを受信すると、新しい通信ポート番号を設定してＦＴＰサーバとの通信接続確立処理を再開しなければならず、再接続まで時間がかかっていた。
【０００８】
特開２０００−１４８６１９号公報の技術によれば、電源再投入時にデータ受信装置がＦＴＰサーバとの通信接続確立処理を行う際、前回の通信に使用していた通信ポート番号とは異なる通信ポート番号を使用することで、ＦＴＰサーバがデータ受信装置側の通信ポート番号をエラーと判断することを防ぎ、通信接続確立処理を中断することなく速やかな通信接続の確立を実現している。
【特許文献１】特開２０００−１４８６１９号公報
【発明の開示】
【発明が解決しようとする課題】
【０００９】
上記特開２０００−１４８６１９号公報の技術は、有線によるデータ通信を前提とし、データ受信装置の電源をオフ／オンするような状況では確かに有効である。しかしながら、上述したようにネットワークに接続されたサーバと無線通信端末との間でデータ通信を行う場合、無線通信状況（通信圏外か圏内か）によってサーバが無線通信端末側の通信ポート番号をエラーと判断するか否かが時々刻々と変化することになる（特開２０００−１４８６１９号公報の技術では再電源投入時にＦＴＰサーバから送信されるエラーメッセージのみに着目して対処している）。従って、無線通信によってサーバとのデータ通信を行う場合、特開２０００−１４８６１９号公報の技術は適用することができない。
【００１０】
また、上述したように、サーバが無線通信端末側の通信ポート番号をエラーと判断した場合、無線通信端末は、ＴＣＰ切断処理、ＰＰＰ切断処理、ユーザへのエラー表示、再接続指示があればＰＰＰ接続処理開始という一連の処理を行うため、有線によるデータ通信と比べて再接続までに長い時間を要し、さらに、ユーザに対して再接続するか否かの判断と、それを指示するための操作入力を強いることになり、ユーザにとって大きな負担となっていた。
【００１１】
本発明は、上述した事情に鑑みてなされたものであり、以下の点を目的とする。
ネットワークに接続されたサーバと無線通信によってデータ通信を行う場合において、
（１）無線通信端末がサーバから通信接続エラーを受信した場合の再接続処理に係るユーザの負担を軽減する。
（２）無線通信端末がサーバから通信接続エラーを受信した場合の再接続処理に要す時間を軽減する。
【課題を解決するための手段】
【００１２】
上記目的を達成するために、本発明では、以下の手段を採用した。
本発明に係る無線通信端末は、サーバとの無線によるデータ通信を実行する無線通信端末であって、前記サーバとのデータ通信用に割り当てられた複数のポート番号の内から決定された第１のポート番号を使用して、前記サーバに通信接続要求を示す情報を送信する通信制御部と、前記第１のポート番号を記憶する記憶部と、を備え、前記通信制御部は、前記サーバから通信接続不可を示す情報を受信すると、前記通信接続要求に対するサーバからの返信を待機する状態であるかを判定し、前記サーバからの返信を待機する状態であると判定された場合には、前記第１のポート番号とは異なる第２のポート番号を使用して再度、通信接続要求を示す情報を送信し、一方で、前記サーバからの返信を待機する状態でないと判定された場合には、前記サーバとの接続を切断することを特徴とする。
【００１３】
また、前記通信制御部は、前記サーバからＲＳＴ（Ｒｅｓｅｔ）パケットを受信した場合、ＳＹＮ＿ＳＥＮＴ状態であるかを判定し、前記ＳＹＮ＿ＳＥＮＴ状態であると判定された場合には、前記第１のポート番号とは異なる前記第２のポート番号を使用して再度、ＳＹＮパケットを送信し、一方で、前記ＳＹＮ＿ＳＥＮＴ状態ではないと判定された場合には、前記サーバとのＴＣＰ接続及びＰＰＰ接続を切断することを特徴とする。
また、前記第２のポート番号は、前記複数のポート番号の内からランダムに決定され、当該ランダムに決定されたポート番号が前記第１のポート番号と同一である場合には、さらに前記複数のポート番号の内からランダムに選択し直されることにより決定されることを特徴とする。
また、前記通信制御部は、前記第２のポート番号を使用して、前記通信接続要求を示す情報を送信し、再度、前記サーバから通信接続不可を示す情報を受信した場合、所定時間の間、新たなポート番号を使用して、通信接続要求を示す情報の送信を繰り返すことを特徴とする。
また、表示部をさらに備え、前記通信制御部は、前記所定時間を経過すると、前記表示部に、前記サーバとの通信が接続不可である旨を表示することを特徴とする。
【００１４】
本発明に係る無線通信方法は、サーバとの無線によるデータ通信を実行する無線通信方法であって、前記サーバとのデータ通信用に割り当てられた複数のポート番号の内から決定された第１のポート番号を使用して、前記サーバに通信接続要求を示す情報を送信する第１ステップと、前記第１のポート番号を記憶する第２ステップと、前記サーバから通信接続不可を示す情報を受信すると、前記通信接続要求に対するサーバからの返信を待機する状態であるかを判定する第３ステップと、前記第３ステップで、前記サーバからの返信を待機する状態であると判定された場合には、前記第１のポート番号とは異なる第２のポート番号を使用して再度、通信接続要求を示す情報を送信する第４ステップと、前記第３ステップで、前記サーバからの返信を待機する状態でないと判定された場合には、前記サーバとの接続を切断する第５ステップと、を含むことを特徴とする。
【００１５】
また、前記第３ステップにおいて、前記サーバからＲＳＴ（Ｒｅｓｅｔ）パケットを受信した場合、ＳＹＮ＿ＳＥＮＴ状態であるかを判定し、前記第４ステップにおいて、前記ＳＹＮ＿ＳＥＮＴ状態であると判定された場合には、前記第１のポート番号とは異なる前記第２のポート番号を使用して再度、ＳＹＮパケットを送信し、前記第５ステップにおいて、前記ＳＹＮ＿ＳＥＮＴ状態ではないと判定された場合には、前記サーバとのＴＣＰ接続及びＰＰＰ接続を切断することを特徴とする。
また、前記第２のポート番号は、前記複数のポート番号の内からランダムに決定され、当該ランダムに決定されたポート番号が前記第１のポート番号と同一である場合には、さらに前記複数のポート番号の内からランダムに選択し直されることにより決定されることを特徴とする。
また、前記第４ステップで、前記第２のポート番号を使用して、通信接続要求を示す情報を送信し、再度、前記サーバから通信接続不可を示す情報を受信した場合、所定時間の間、新たなポート番号を使用して、再度、通信接続要求を示す情報の送信を繰り返すことを特徴とする。
また、前記第４ステップで、前記所定時間を経過すると、前記サーバとの通信が接続不可である旨を表示することを特徴とする。
【発明の効果】
【００１６】
本発明によれば、ネットワークに接続されたサーバと無線通信によってデータ通信を行う場合において、無線通信端末がサーバから通信接続エラーを受信した場合の再接続処理に係るユーザの負担を軽減することが可能であり、また、上記再接続処理に要す時間を軽減することが可能である。
【発明を実施するための最良の形態】
【００１７】
以下、図面を参照して、本発明の一実施形態について説明する。図１は、本発明の実施形態に係る無線通信端末の機能構成を示すブロック図である。なお、本無線通信端末としては携帯電話機を例示して説明する。図１に示すように、本無線通信端末Ａは、無線通信部１、キー入力部２、表示部３、音声出力部４、カメラ部５、通信制御部６及び記憶部７から構成されている。また、図１において、符号Ｂは無線基地局、Ｃはサービスプロバイダサーバ、Ｄはサーバ、Ｎはネットワークである。
【００１８】
無線通信端末Ａにおいて、無線通信部１は、通信制御部６による制御の下に所定の通信方式、例えばＣＤＭＡ（Code Division Multiple Access）方式等を用いて無線基地局Ｂとの無線通信を行うと共に、当該無線基地局Ｂを介してネットワークＮに接続されたサービスプロバイダサーバＣ及びサーバＤとのデータ通信を行う。キー入力部２は、ダイヤルキー、ファンクションキー、電源キー、データ通信開始用の専用キー等から構成されており、これらキーの操作情報を操作信号として通信制御部６に出力する。
【００１９】
表示部３は、例えば液晶ディスプレイや有機ＥＬディスプレイ等であり、通信制御部６から入力される表示信号に基づいて各種メッセージや電話番号、画像等を表示する。音声出力部４は、通信制御部６から入力される音声信号に基づいて音声やサウンドを外部に出力する。カメラ部５は、例えばＣＣＤ（Charge Coupled Device）カメラであり、通信制御部６の制御の下、撮影した画像の画像信号を通信制御部６に出力する。
【００２０】
通信制御部６は、記憶部７に予め記憶された所定の制御プログラム、キー入力部２から入力される操作信号及び無線通信部１の通信状態等に基づいて、本無線通信端末Ａの全体動作を制御するものである。また、この通信制御部６は、上記制御プログラムに基づく特徴的な制御処理として、サーバＤとのデータ通信用に割り当てられた複数のポート番号の内、所定のポート番号を通信ポート番号として決定し、当該通信ポート番号を使用してサーバＤとのデータ通信を行い、上記通信ポート番号を記憶部７に記憶させる。さらに、通信制御部６は、サーバＤとのＴＣＰ接続を確立する処理中に、サーバＤから通信接続不可を示す情報（ＲＳＴパケット）を受信した場合、記憶部７に記憶されている通信ポート番号とは異なるポート番号を新たに通信ポート番号として決定し再度ＴＣＰ接続処理を行う。なお、このような通信制御部６によるＴＣＰ接続処理についての詳細は後述する。
【００２１】
記憶部７は、例えばフラッシュメモリであり、通信制御部６が実行する制御プログラムを予め記憶すると共に、通信制御部６の制御の下、通信ポート番号、カメラ部５から入力された画像信号、電話番号及びその他のデータを記憶する。
【００２２】
無線基地局Ｂは、所定のサービスエリア毎に設置され、当該サービスエリアに存在する無線通信端末Ａを無線通信によりネットワークＮに接続するための中継局である。サービスプロバイダサーバＣは、無線通信端末Ａのユーザにインターネットサービスを提供するサービスプロバイダが保有するサーバであり、無線通信端末ＡとＰＰＰ接続を確立することにより、ＩＰアドレスを無線通信端末Ａに付与する。サーバＤは、無線通信端末Ａのユーザに対して様々なデータを提供するサーバであり、無線通信端末ＡとＴＣＰ接続を確立することにより当該無線通信端末Ａとのデータ通信を行う。
【００２３】
次に、このように構成された本無線通信端末Ａの動作（具体的には通信制御部６によるＴＣＰ接続処理）について図２のフローチャートを用いて説明する。
【００２４】
まず、通信制御部６は、ユーザによりデータ通信開始用の専用キーが押される、すなわちユーザからサーバＤとのデータ通信開始指示を受けると（ステップＳ１）、無線通信部１を制御して、無線基地局Ｂを介してサービスプロバイダサーバＣにアクセスし、ＰＰＰ接続を確立する（ステップＳ２）。これにより、サービスプロバイダサーバＣからＩＰアドレスが無線通信端末Ａに付与される。
【００２５】
ＰＰＰ接続確立後、通信制御部６は、サーバＤとのＴＣＰ接続を確立するために、自身に割り当てられている複数のデータ通信用のポート番号（１０２４番〜６５５３５番）の中から、ランダムに通信ポート番号を決定し（つまり、上記ＩＰアドレスと通信ポート番号との組み合わせであるソケットを自身のネットワークアドレスとして使用する）、ＳＹＮパケットを無線基地局Ｂを介してサーバＤに送信するように無線通信部１を制御すると共に上記通信ポート番号を記憶部７に記憶する（ステップＳ３）。
【００２６】
ここで、サーバＤが何らかの理由（例えば、サーバＤ側で無線通信端末Ａの通信ポート番号からのＴＣＰ接続を許可していない場合や、上述したように前回のデータ通信中に通信圏外状態になり、その時ユーザからデータ通信の終了指示が出され、再度前回と同じ通信ポート番号でＴＣＰ接続を試みた場合等）によって、無線通信端末Ａの通信ポート番号をエラーと判断し、サーバＤから通信接続不可を示す情報（ＲＳＴパケット）を受信した場合（ステップＳ４）、通信制御部６は、ＴＣＰ接続状態がＳＹＮ＿ＳＥＮＴ状態であるか否かを判定する（ステップＳ５）。ステップＳ５において、「NO」、つまりＳＹＮ＿ＳＥＮＴ状態ではないと判定された場合、既にデータ通信が行われているので、通信制御部６は、ＴＣＰ接続及びＰＰＰ接続の切断処理を行う（ステップＳ１３）。
【００２７】
一方、ステップＳ５において、「YES」、つまりＴＣＰ接続状態がＳＹＮ＿ＳＥＮＴ状態であると判定されると、通信制御部６は、自身に割り当てられている複数のデータ通信用のポート番号（１０２４番〜６５５３５番）から、ランダムに新たな通信ポート番号を決定し（ステップＳ６）、このように決定した通信ポート番号と記憶部７に記憶されている前回の通信に使用した通信ポート番号とが異なっているか否かを判定する（ステップＳ７）。ステップＳ７において、「NO」、つまり新たに決定した通信ポート番号と前回の通信ポート番号とが同一のポート番号である場合、通信制御部６は、ステップＳ６の処理に戻り、再度新たな通信ポート番号を決定する。
【００２８】
一方、ステップＳ７において、「ＹＥＳ」、つまり新たに決定した通信ポート番号と前回の通信ポート番号とが異なるポート番号である場合、通信制御部６は、新たに決定した通信ポート番号を使用し（つまり無線通信端末Ａのソケットは、前回と同一のＩＰアドレスと新たに決定した通信ポート番号との組み合わせになる）、再度ＳＹＮパケットを無線基地局Ｂを介してサーバＤに送信するように無線通信部１を制御する（ステップＳ８）。
【００２９】
サーバＤは、無線通信端末Ａ側の通信ポート番号が前回と異なるため、当該通信ポート番号をエラーと判断することなく、無線通信端末ＡにＳＹＮ／ＡＣＫパケットを送信する（ステップＳ９）。無線通信端末Ａは、ＳＹＮ／ＡＣＫパケットを受信すると、サーバにＡＣＫパケットを送信する（ステップＳ１０）。これにより無線通信端末ＡとサーバＤとのＴＣＰ接続が確立され（ステップＳ１１）、両者間でデータ通信が行われる（ステップＳ１２）。
【００３０】
なお、上記のように新たな通信ポート番号を決定して、再度サーバＤとのＴＣＰ接続を試み、再びサーバＤからＲＳＴパケットが送信された場合、所定時間（例えば１分間程度）、ステップＳ６からＳ８の処理を繰り返しても、なおＲＳＴパケットが送信される場合は、ＴＣＰ接続及びＰＰＰ接続の切断処理を行い、表示部３に「サーバが停止していると思われます。サーバ管理者に確認してください」等のエラーメッセージを表示させても良い。
【００３１】
以上のように、本実施形態によれば、サーバＤとのＴＣＰ接続処理中にサーバＤからＲＳＴパケットを受信した場合に、ユーザに意識させずに自動的に再接続処理を行うため、ユーザが再接続動作（アプリケーションの選択、データ送受信の設定、接続開始指示用の専用キーの押下等）を行う必要がなく、ユーザの負担を軽減することが可能である。また、従来のように、サーバＤからＲＳＴパケットを受信後に、ＴＣＰ切断処理、ＰＰＰ切断処理、ユーザへのエラー表示、再接続指示があればＰＰＰ接続処理開始という一連の処理を行う必要がないため、再接続処理に要する時間を軽減することが可能である。
【図面の簡単な説明】
【００３２】
【図１】本発明の一実施形態におけるの無線通信端末Ａの構成ブロック図である。
【図２】本発明の一実施形態における無線通信端末Ａの動作を示すフローチャートである。
【符号の説明】
【００３３】
Ａ…無線通信端末は、１…無線通信部、２…キー入力部、３…表示部、４…音声出力部、５…カメラ部、６…通信制御部、７…記憶部、Ｂ…無線基地局、Ｃ…サービスプロバイダサーバ、Ｄ…サーバ、Ｎ…ネットワーク
【図１】
0004545671.tif 000002
【図２】
0004545671.tif 000003